(57)【要約】      （修正有）【課題】高齢者や要介護者等が下着等衣類を履く時の転倒の恐れや精神的苦痛や、体力の消耗を軽減し、簡単に衣類を履く事が出来る、衣類着用補助具を提供する。【解決手段】下着等衣類の着用時に、両足先がその内側底部まで挿入できる大きさを有する本体１の上部に、足先が入る大きさを有し、下着等衣類の足通し穴を開いた状態で外周部に固定するようになした２つの筒状部３を５ｃｍ〜１０ｃｍ間隔を開けて設けたことを特徴とする。【選択図】図４
0003151980.tif 000002
【実用新案登録請求の範囲】
【請求項１】
下着等衣類の着用時に、床に置かれ、両足先がその内側底部まで挿入できる大きさを有する本体の上部に、足先が入る大きさを有し、下着等衣類の足通し穴を開いた状態で外周部に固定するようになした２つの筒状部を、５ｃｍ以上１０ｃｍ未満、間隔を開けて設けた一体造りの履物型衣類着用補助具
【請求項２】
請求項１に示した２つの筒状部は、請求項１に示した本体上部より、６ｃｍ以上１２ｃｍ未満、立ち上げた一体造りの履物型衣類着用補助具。
【請求項３】
請求項１に示した本体上部付近の外部側面と外部後面に、請求項１に示した筒状部に固定される下着等衣類の、垂れ下がりを防止する４つの突起を設けた、一体造りの履物型衣類着用補助具。
【請求項４】
請求項１に示した本体外部の底部は、ゴム・スポンジ等の滑り止め材を取り付けた一体造りの履物型衣類着用補助具。
【考案の詳細な説明】
【技術分野】
【０００１】本考案は、幼少児や高齢者・要介護者が、入浴後等に、下着等衣類を着用する際の、精神的苦痛を和らげ、転倒を防止する補助用の、履物型衣類着用補助具に関するものである。
【背景技術】
【０００２】入浴後等に、下着等衣類を着用する時に、足先が湿気や濡れていて、足先を衣類の開口部に入れようとして、衣類の開口部に引っ掛かり、転倒や転倒しそうになる事が多くある。従来は、床や椅子に座っての着用、或いは壁にもたれての着用であった。
この解決方法として、特許文献に開示されているものがある。
【特許文献】  特開  ２００６−１５１０３号  公報
【考案の開示】
【考案が解決しようとする課題】
【０００３】高齢者や要介護者の方は、ほとんどの場合、恥ずかしさや情けなさを感じながら、第三者の介助で下着等衣類を着用している。また、自ら着用できる人であっても、転倒の危険や体力の消耗等の問題がある。幼少児は、保護者の介助で下着等衣類を着用している。
開示されている特許文献では、
１・衣類をセットした時に、衣類の足通し穴の前部が垂れているので、足が通しにくい。
２・止め金具に衣類を取り付けたり、股部の支え金具に衣類が引っ掛らない様にする等、取り扱いに、労力と時間を必要とする。
３・足先を入れる時に、足入れ口が当たり入れにくい。
４・衣類の前部を支える物が無いので、直接床に接してしまい清潔が保たれない。
本考案は、上記問題点の取り扱いの不便さや、着用者の精神的苦痛・転倒等の危険や、体力の消耗の軽減に寄与する為に、考案されたものである。又、幼少児は、本考案具を使う事で、自立心を養う事が出来ると共に、保護者の心労を軽減できる。
簡単な構造であり、取り扱いも楽で、安全に衣類が、着用出来る物である。
【課題を解決するための手段】
【０００４】下着等衣類の着用時に、床に置かれ、両足先がその内側底部まで挿入できる大きさを有する本体（１）の上部より、足先が入る大きさを有し、下着等衣類の足通し穴を開いた状態で外周部に固定するようになした２つの筒状部（３）を設けた、一体造りの履物型衣類着用補助具であり、下着等衣類の足通し穴を開いた状態で、２つの筒状部（３）の外周部に、それぞれ畳み込む様に差し入れてセットする。下着等衣類の股部は、２つの筒状部の間に、畳み込んでセットする。下着等衣類の股部より上側部を、２つの筒状部（３）の、外部側面部と外部前面部及び外部後面部に、当たる様にそれぞれ差し入れる。本体（１）上部の２つの筒状部（３）が、立ち上がっている外部前面部と、本体（１）上部の外部側面と外部後面にある突起にて、下着等衣類のゆるんでいる布の垂れ下がりを保持する事ができる。
使用する時は、着用者自身又は、介護者・介助者にて、予め、本考案補助具に上記の要領にて、下着等衣類をセットする。
着用者は、着用者自身又は、介護者・介助者の助けを借りて、２つの筒状の足入れ口（２）より、本体（１）の内側底部まで、両足先を差し入れる。後は、着用者自身又は、介護者・介助者が、セットしてある下着等衣類を引き上げて着用する。簡単に、下着等衣類の着用が可能である。
高齢者や、介護・介助を要する人は、椅子と併用する事により、より安全で、体力的にも楽に、下着等衣類を着用する事ができる。
本体（１）そのものが滑らない様、本体底部に、ゴム・スポンジ等の滑り止め防止材を取り付けてある。
【考案の効果】
【０００５】この考案補助具を使用する事により、第三者の介護・介助を受ける人の、恥ずかしさや、情けなさ、体力的な苦痛を和らげ、転倒による怪我や骨折等の防止に役立つことが出来る。幼少児には、自分自身で、衣類を履ける喜びを味わえるし、自立心を養う事につながる。保護者は、繁忙さや、煩わしさを軽減する事ができる。
【考案を実施するための最良の形態】
【０００６】本考案の実施の形態を、図面に基づいて説明する。
下着等衣類の着用時に、床に置かれ、両足先がその内側底部まで挿入できる大きさを有する本体（１）の上部より、足先が入る大きさを有し、下着等衣類の足通し穴を開いた状態で外周部に固定するようになした２つの筒状部（３）を、５ｃｍ以上１０ｃｍ未満、間隔を開けて設置する。上記の筒状部（３）は、本体（１）上部より、６ｃｍ以上１２ｃｍ未満、立ち上げてある。２つの筒状部（３）が立ち上がっている本体（１）上部付近の、外部側面と外部後面に、筒状部（３）に固定される下着等衣類の、垂れ下がりを防止する突起（４）を４つ設ける。２つの筒状部（３）が立ち上がっている本体（１）前面上部と２つの筒状部（３）及び４つの突起（４）で、下着等衣類を保持する。
又、本体（１）が滑らない様に、本体底部に、ゴム・スポンジ等の滑り止め防止材を取り付ける。
本考案の履物型衣類着用補助具を使用する場合は、着用者自身又は、介護者・介助者にて、予め、下着等衣類をセットしておく必要がある。
パンツ（ブリーフを含む）を例にとってセットの手順を説明する。
パンツの足通し穴を開いた状態で、２つの筒状部（３）の外周部へパンツの足通し穴を、畳み込むように差し込んでセットする。パンツの股部は、２つの筒状部（３）の間に畳み込んでセットする。パンツの股部より上側部は、２つの筒状部（３）の各外部側面部と各外部前面部及び各外部後面部に、接した状態で畳み込むように入れてセットする。
本体（１）上部の２つの筒状部（３）が立ち上がっている前側部と、本体（１）上部にある外部側面と外部後面の４つの突起（４）にて、パンツのゆるんでいる布の垂れ下がりを防止する。
上記各部でもってパンツ全体を保持する。
他にも、ズボンやズボン下と合わせて複数枚の組み合わせで使用する事もできる。
着用者は、下着等衣類を予め、セットしている本考案の、履物型衣類着用補助具の筒状の足入れ口（２）に、着用者自身又は、介護者・介助者の助けを借りて両足先を、本体（１）の内側底部まで差し入れる。後は、着用者自身又は、介護者・介助者が、下着等衣類を引き上げて着用する。簡単で、安全に下着等衣類を着用する事ができる。
高齢者や、介護・介助を要する人は、椅子と併用すれば、より安全で、楽に、下着等衣類を着用することが出来る。又、介護者や介助者は、手間・労力の軽減を図る事が出来る。
【産業上の利用可能性】
【０００７】本考案の履物型衣類着用補助具は、構造が単純・コンパクトであり、工業的に量産する事が可能であるため、産業上の利用可能性を有する。
【図面の簡単な説明】
【０００８】
【図１】  本考案の衣類着用補助具の平面図
【図２】  図１のＡ−Ａ線における断面図
【図３】  図１のＢ−Ｂ線における断面図
【図４】  本考案の衣類着用補助具の使用状態の斜視図
【符号の説明】
【０００９】  １        本    体
２        足入れ口
３        筒状部
４        衣類保持突起部
５        底部滑り止め防止材
６        下着等衣類
【図１】
0003151980.tif 000003
【図２】
0003151980.tif 000004
【図３】
0003151980.tif 000005
【図４】
0003151980.tif 000006
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
下着等衣類の着用時に、床に置かれ、両足先がその内側底部まで挿入できる大きさを有する本体の上部に、足先が入る大きさを有し、下着等衣類の足通し穴を開いた状態で外周部に固定するようになした２つ筒状部を、５ｃｍ以上１０ｃｍ未満、間隔を開けて設けた一体造りの履物型衣類着用補助具。
【請求項２】
上記２つの筒状部は、上記本体上部より、６ｃｍ以上１２ｃｍ未満、立ち上げた請求項１に記載の一体造りの履物型衣類着用補助具。
【請求項３】
上記本体上部付近の外部側面と外部後面に、上記筒状部に固定される下着等衣類の、垂れ下がりを防止する４つの突起を設けた、請求項１に記載の一体造りの履物型衣類着用補助具。
【請求項４】
上記本体外部の底部は、ゴム・スポンジ等の滑り止め材を取り付けた請求項１に記載の一体造りの履物型衣類着用補助具。